(57)【特許請求の範囲】
【請求項１】
所定の第１軸に沿った押圧方向に所定の力で押圧されることによって作動するスイッチ部材と、
前記スイッチ部材を支持する基台部と、
前記第１軸と直交する第２軸に沿う方向を長手方向とした板状の被押圧部材と、
を具備し、
前記板状の被押圧部材は、
内面が前記スイッチ部材に対向する板状部と、
前記板状部の内面の中央部から前記第１軸に沿って前記スイッチ部材に向かって突出する押圧軸部と、
前記第１軸及び前記第２軸に直交する第３軸に沿う方向に離間して配設され、前記基台部からの脱落を防止する係止部と、
前記板状部の前記内面において前記押圧軸部を挟んで前記第２軸に沿う方向に離間して配設され、前記第１軸に沿って前記押圧方向に突出する一対の摺動軸部と、
前記一対の摺動軸部のそれぞれに設けられ、前記第２軸に沿う方向に所定の距離だけ離間して互いに対向し、それぞれが前記第１軸に沿って配置された一対の摺動面と、を含み、
前記基台部は、
前記押圧軸部が挿入され、挿入された状態において前記第１軸に沿う方向への変位を許容し、かつ前記押圧軸部の前記第２軸に沿う方向への変位を防止する案内孔と、
前記第２軸に沿う方向において前記案内孔を挟んで設けられ、前記一対の摺動軸部が前記第１軸に沿う方向へ変位するのを許容するとともに前記一対の摺動軸部が前記第３軸に沿う方向への変位を防止する一対の案内部と、
前記摺動軸部に設けられた前記摺動面と対向するように前記一対の案内部内にそれぞれ形成されていて、当該一対の摺動軸部の各々が前記一対の案内部に挿入された際、当該摺動面と前記第１軸に沿う方向に摺接する一対の案内面と、を含み、
前記第２軸に沿う方向において、少なくとも前記板状の被押圧部材の端部側に外力Ｆが加えられた際、前記被押圧部材と押圧部との嵌合中心が前記外力Ｆ側に近づき、前記外力Ｆ側における基台部の案内面と摺動軸部に設けられた摺動面とによって嵌合するようにした
ことを特徴とする押しボタン装置。
【発明の詳細な説明】
【技術分野】
【０００１】
本発明は、被押圧部材及びスイッチ部材を具備する押しボタン装置に関する。
【背景技術】
【０００２】
電子機器に用いられる押しボタン装置には、例えば特開平３−１１５１０号公報に開示されているように、人の指等によって加えられる押圧力を電子部品であるスイッチ部材に伝える被押圧部材を備えた構成のものがある。
【先行技術文献】
【特許文献】
【０００３】
【特許文献１】特開平３−１１５１０号公報
【発明の概要】
【発明が解決しようとする課題】
【０００４】
押しボタン装置では、被押圧部材のどの箇所が押圧されても、確実にスイッチ部材の動作がなされることが好ましい。
【０００５】
本発明は、上述した点に鑑みてなされたものであって、被押圧部材の面積が大きくても確実な動作を行うことができる押しボタン装置を提供することを目的とする。
【課題を解決するための手段】
【０００６】
本発明の一態様の押しボタン装置は、所定の第１軸に沿った押圧方向に所定の力で押圧されることによって作動するスイッチ部材と、前記スイッチ部材を支持する基台部と、前記第１軸と直交する第２軸に沿う方向を長手方向とした板状の被押圧部材と、を具備し、前記板状の被押圧部材は、内面が前記スイッチ部材に対向する板状部と、前記板状部の内面の中央部から前記第１軸に沿って前記スイッチ部材に向かって突出する押圧軸部と、前記第１軸及び前記第２軸に直交する第３軸に沿う方向に離間して配設され、前記基台部からの脱落を防止する係止部と、前記板状部の前記内面において前記押圧軸部を挟んで前記第２軸に沿う方向に離間して配設され、前記第１軸に沿って前記押圧方向に突出する一対の摺動軸部と、前記一対の摺動軸部のそれぞれに設けられ、前記第２軸に沿う方向に所定の距離だけ離間して互いに対向し、それぞれが前記第１軸に沿って配置された一対の摺動面と、を含み、前記基台部は、前記押圧軸部が挿入され、挿入された状態において前記第１軸に沿う方向への変位を許容し、かつ前記押圧軸部の前記第２軸に沿う方向への変位を防止する案内孔と、前記第２軸に沿う方向において前記案内孔を挟んで設けられ、前記一対の摺動軸部が前記第１軸に沿う方向へ変位するのを許容するとともに前記一対の摺動軸部が前記第３軸に沿う方向への変位を防止する一対の案内部と、前記摺動軸部に設けられた前記摺動面と対向するように前記一対の案内部内にそれぞれ形成されていて、当該一対の摺動軸部の各々が前記一対の案内部に挿入された際、当該摺動面と前記第１軸に沿う方向に摺接する一対の案内面と、を含み、前記第２軸に沿う方向において、少なくとも前記板状の被押圧部材の端部側に外力Ｆが加えられた際、前記被押圧部材と押圧部との嵌合中心が前記外力Ｆ側に近づき、前記外力Ｆ側における基台部の案内面と摺動軸部に設けられた摺動面とによって嵌合するようにした。
【発明の効果】
【０００７】
本発明によれば、被押圧部材の面積が大きくても確実な動作を行うことができる押しボタン装置を実現できる。
【図面の簡単な説明】
【０００８】
【図１】押しボタン装置を備えた撮像装置を前方から見た斜視図である。
【図２】押しボタン装置を備えた撮像装置を後方から見た斜視図である。
【図３】撮像装置の分解斜視図である。
【図４】押しボタン装置の分解斜視図である。
【図５】被押圧部材の内面側から見た斜視図である。
【図６】図４のVI-VI断面図である。
【図７】図６のVII-VII断面図である。
【図８】図７のVIII-VIII断面図である。
【図９】本発明の作用を説明する図である。
【発明を実施するための形態】
【０００９】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１０】
まず、本発明に係る押しボタン装置２０を備える撮像装置１の構成について説明する。図１、図２及び図３に示すように、本実施形態の撮像装置１は、本体２内に例えばＣＣＤやＣＭＯＳイメージセンサ等である撮像素子３を備えている。
【００１１】
本体２の外表面は、外方に向かって凸状の滑らかな曲面である凸面部２ａを、少なくとも一部に含んでいる。凸面部２ａには、レリーズスイッチである後述する押しボタン装置２０が配設されている。押しボタン装置２０が使用者により押下された場合、撮像装置１は、所定の撮像動作を実行する。
【００１２】
本実施形態では一例として、本体２は、撮像素子３の受光面に直交する直線を中心軸とした略円柱形状の外形を有している。本体２の直径は、人の手で掴むことのできる大きさである。本実施形態における凸面部２ａとは、略円柱形状である本体２の中心軸周りの外周面である。すなわち、凸面部２ａの形状は、略円筒面形状である。
【００１３】
なお、凸面部２ａの形状は本実施形態に限られるものではない。例えば、凸面部２ａは、楕円面、放物面又は球面等の他の外方に向かって凸状の形状であってもよい。また、本体２の外形も本実施形態に限られるものではなく、凸面部２ａを一部に含む形状であればよい。
【００１４】
撮像装置１において、撮像素子３の受光面は、略円柱形状である本体２の中心軸に沿った一方の側に面している。本実施形態では一例として、撮像装置１は、撮像素子３の受光面上に被写体像を結像するためのレンズ装置が、本体２に離合可能に構成された、いわゆるレンズ交換式の形態を有する。なお、撮像装置１は、本体２からレンズ装置を分離できない、いわゆるレンズ一体型の形態であってもよい。
【００１５】
図１に示すように、本体２の中心軸に沿った一方の側の端部２ｂには、レンズ装着部４が設けられている。レンズ装着部４は、本実施形態では一例として一般にバヨネット式マウントと称される係合機構を具備し、レンズ装置を離合可能である。レンズ装着部４にレンズ装置が装着された状態では、レンズ装置の光軸と本体２の中心軸とが略平行となるようにしてもよいし、両者が一直線上に並ぶようにしてもよいが、本実施形態は後者である。なお、レンズ装着部４とレンズ装置とを離合可能とする構成は本実施形態に限られるものではなく、例えばネジ機構を用いる一般にスクリュー式マウントと称される構成であってもよいし、また例えば嵌合や磁石等を用いて両者を離合可能とする構成であってもよい。
【００１６】
図２に示すように、本体２の中心軸に沿った他方の側の端部２ｃには、外部装置装着部５が設けられている。外部装置装着部５は、例えば画像表示装置を備えた携帯通信端末等を本体２に着脱可能とする機構を有する。本実施形態では一例として、外部装置装着部５は、一般にバヨネット式と称される係合機構を具備する。例えば、図示する実施形態では、他方の端部２ｃの外周の円周方向の一部に部分円周凹部５ａが設けられており、部分円周凹部５ａの一部分に係合用爪５ｂが設けられている。なお、撮像装置１は、外部装置装着部５を具備していなくともよい。
【００１７】
図３に示すように、本体２内には、撮像素子３及び電池６が配設されている。本実施形態の電池６は、２次電池である。なお、撮像装置１は、外部装置からの電力供給によって動作し、電池６を備えない形態であってもよい。また図示しないが、本体２内には、演算装置（ＣＰＵ）、記憶装置（ＲＡＭ）、入出力装置及び電力制御装置等を具備し、撮像装置１の動作を所定のプログラムに基づいて制御する制御基板が配設されている。また、本体２内には、撮像装置１によって撮像された画像を記憶するためのフラッシュメモリカード等の記憶媒体を装着するコネクタが配設されている。
【００１８】
また、図３に示すように、本実施形態では、本体２は、メインフレーム２ｄに、押しボタン装置２０、撮像素子３、レンズ装着部４、外部装置装着部５及び電池６等の他の部材を組み付けることによって構成される。本体２の外周面は、略円筒形状のカバー７によって覆われる。
【００１９】
次に、本発明に係る押しボタン装置２０の構成について説明する。図４に示すように、押しボタン装置２０は、基台部２１、被押圧部材２２及びスイッチ部材２３を備える。
【００２０】
基台部２１は、カバー７の内側に配設され、メインフレーム２ｄに固定される部材である。基台部２１は、メインフレーム２ｄに設けられた貫通孔２ｅに挿通されたネジ２９が螺合するネジ孔２１ｅを備えており、ネジ２９によってメインフレーム２ｄに固定される。
【００２１】
押しボタン装置２０を構成する各部材は、基台部２１によって保持される。すなわち本実施形態では、押しボタン装置２０は、撮像装置１を構成する複数のユニットのうちの１つとして、メインフレーム２ｄから分離することができる。このような構成とすることによって、撮像装置１の組み立て工程を簡略化することができる。なお、基台部２１は、メインフレーム２ｄの一部であってメインフレーム２ｄから分離できない形態であってもよい。
【００２２】
本実施形態の押しボタン装置２０は、前述のように、撮像装置１にレリーズスイッチとして備えられたものであり、基台部２１に対して移動可能な被押圧部材２２が、本体２の凸面部２ａに露出するように配設されている。具体的には、被押圧部材２２は、カバー７の凸面部２ａの領域に設けられた貫通孔７ａを介して、凸面部２ａの外方に露出している。被押圧部材２２の内側には、スイッチ部材２３が配設されている。
【００２３】
スイッチ部材２３は、撮像装置１の制御基板に電気的に接続されたタクタイルスイッチ又はプッシュスイッチ等の形態を有する電子部品である。スイッチ部材２３は、基台部２１に対して位置が固定されており、所定の第１軸に沿った押圧方向に押圧されることによって作動する。以下では、第１軸をＺ軸と称する。
【００２４】
本実施形態では一例として、スイッチ部材２３は、回路基板２４に実装されており、当該回路基板２４は、後述する基板保持部（基板保持台）２７を介して基台部２１に固定されている。また、スイッチ部材２３は、回路基板２４を介して制御基板に電気的に接続される。制御基板は、スイッチ部材２３がオン状態であるかオフ状態であるかを検出し、撮像装置１の撮像動作を制御する。
【００２５】
スイッチ部材２３は、押圧方向が、凸面部２ａの外表面に略直交する位置に配設されている。本実施形態では凸面部２ａが略円筒面形状であることから、スイッチ部材２３を動作させるための押圧方向は、略円筒面の径方向内側である。
【００２６】
押しボタン装置２０は、被押圧部材２２に対して凸面部２ａの内側に向かって押圧する力が加えられた場合に、この力をスイッチ部材２３に伝える構成を有する。スイッチ部材２３は、被押圧部材２２によって押圧された場合に例えばオン状態となる。
【００２７】
なお、スイッチ部材２３は、単一の回路を開閉する形態であってもよいし、２つの回路を押圧力の違いに応じて開閉する、いわゆる２段動作型スイッチの形態であってもよい。本実施形態では一例として、撮像装置１のレリーズスイッチのいわゆる半押し状態（ファーストレリーズ状態）と、いわゆる全押し状態（セカンドレリーズ状態）との切り替わりを実現するため、スイッチ部材２３は２段動作型スイッチである。
【００２８】
より詳細に、押しボタン装置２０の構成について説明する。
【００２９】
被押圧部材２２は、図５に示すように、板状である板状部２２ａの内面２２ｂに、押圧軸部２２ｄ、一対の摺動軸部２２ｅ及び係止爪２２ｇが設けられている。板状部２２ａの内面２２ｂとは、基台部２１及びスイッチ部材２３に対向する面である。被押圧部材２２は、例えば熱可塑性樹脂からなり、樹脂成型によって形成されている。
【００３０】
板状部２２ａは、第１軸（Ｚ軸）と直交する第２軸（Ｘ軸）に沿う方向を長手方向とした板状の部材である。本実施形態では一例として、板状部２２ａは、凸面部２ａの外形に沿って弓状に湾曲した板状の部材である。また、本実施形態の板状部２２ａは、弓状の両端部を結ぶ方向を長手方向とした細長の部材である。なお、曲面である凸面部２ａの外形と、板状部２２ａの湾曲の形状は、一致していてもよいし、一致していなくてもよい。例えば、板状部２２ａは、平板状であってもよい。以下では説明のため、第２軸をＸ軸と称し、第１軸（Ｚ軸）及び第２軸（Ｘ軸）の双方に直交する軸を第３軸とし、これをＹ軸と称する。
【００３１】
より具体的には、前述のように凸面部２ａは略円筒面形状であることから、板状部２２ａは略円弧形状に湾曲している。そして、板状部２２ａの長手方向は、略円筒面形状である凸面部２ａの周方向に沿っている。すなわち、板状部２２ａの長手方向は、撮像素子３の受光面と略平行である。
【００３２】
また本実施形態では、図６に示すように、板状部２２ａの外面２２ｃには、撮像素子３の受光面に直交する平面による断面（縦断面）において、両端部よりも中央部が本体２の内側に向かって凹形状となる窪み２２ｉが設けられている。被押圧部材２２の本体２の外側に露出する面である外面２２ｃに窪み２２ｉを設けることによって、使用者の指が被押圧部材２２にかかりやすくなる。また、窪み２２ｉが設けられていることにより、使用者は、視覚を用いずに、指の触覚によって本体２の外面における被押圧部材２２の位置を探り当てることができる。なお、板状部２２ａの外面２２ｃは、窪みが設けられていない形状であってもよい。
【００３３】
押圧軸部２２ｄは、板状部２２ａの内面２２ｂの略中央部において、内面２２ｂに対して略直交する方向に突出した凸形状の部位である。図６及び図７に示すように、押圧軸部２２ｄは、スイッチ部材２３に対向する位置に設けられている。すなわち、押圧軸部２２ｄは、板状部２２ａの内面２２ｂから第１軸（Ｚ軸）に沿ってスイッチ部材２３に向かって突出する部位である。押圧軸部２２ｄは、被押圧部材２２に対して本体２の内側に向かって押圧する力が加えられた場合に、この力をスイッチ部材２３に伝える。押圧軸部２２ｄは、基台部２１に設けられた後述する第２案内部である案内孔２１ｇ内に挿入される。
【００３４】
押圧軸部２２ｄの外形は、Ｘ軸に沿う方向の幅及びＹ軸に沿う方向の幅がそれぞれ所定の値で略一定となる形状を有する。図５に示すように、本実施形態では一例として、押圧軸部２２ｄは、Ｘ軸及びＺ軸に平行な平板とＹ軸及びＺ軸に平行な平板とを交差させた、断面が十字状の外形を有する。なお、押圧軸部２２ｄは、断面が円形状であってもよいし矩形状であってもよい。
【００３５】
一対の摺動軸部２２ｅは、板状部２２ａの内面２２ｂからＺ軸に沿って押圧方向に突出する柱状の部位である。一対の摺動軸部２２ｅは、内面２２ｂにおいて、押圧軸部２２ｄを挟んでＸ軸に沿う方向に離間して配設されている。
【００３６】
一対の摺動軸部２２ｅの互いに対向する領域のそれぞれには、Ｘ軸に直交する一対の摺動面２２ｆが形成されている。すなわち、一対の摺動面２２ｆは、Ｘ軸に沿う方向に所定の距離離間して互いに対向している。また被押圧部材２２をＺ軸に沿う方向から見た場合には、一対の摺動面２２ｆの間に押圧軸部２２ｄが位置する。
【００３７】
係止爪２２ｇは、板状部２２ａの内面２２ｂから押圧方向に突出する鉤状の部位である。係止爪２２ｇは、後述する係止部を構成する。本実施形態では一例として、係止爪２２ｇは２つ設けられている。一対の係止爪２２ｇは、間に押圧軸部２２ｄを挟むようにＹ軸に沿う方向に離間して配設されている。本実施形態の一対の係止爪２２ｇは、鉤部が押圧軸部２２ｄとは反対の方向に延出するように設けられている。
【００３８】
基台部２１には、スイッチ部材２３が実装された回路基板２４が固定される。回路基板２４は、本実施形態では一例として可撓性を有するフレキシブルプリント配線板であり、略平板状の基板保持部２７に貼着されている。基板保持部２７は、複数のネジ２８によって、基台部２１に固定される。
【００３９】
基台部２１は、被押圧部材２２の板状部２２ａの内面２２ｂと、スイッチ部材２３との間に介装される板状の部位である被覆部２１ｆを有する。被覆部２１ｆは、図７に示すように、板状部２２ａの内面２２ｂから押圧方向に所定の距離だけ離間している。
【００４０】
被覆部２１ｆには、被覆部２１ｆをＺ軸に沿う方向に貫通する貫通孔である案内孔２１ｇ及び係止孔２１ｈが形成されている。第２案内部である案内孔２１ｇ内には、被押圧部材２２の押圧軸部２２ｄが挿入される。押圧軸部２２ｄは、案内孔２１ｇを通って被覆部２１ｆの押圧方向の面からスイッチ部材２３に向かって突出する。
【００４１】
押圧軸部２２ｄは、案内孔２１ｇ内に挿入された状態において、基台部２１に対するＺ軸に沿う方向への変位及びＹ軸に沿う方向への変位が可能である。押圧軸部２２ｄは、案内孔２１ｇ内に挿入された状態において、Ｘ軸に沿う方向への変位が規制されている。
【００４２】
具体的には、案内孔２１ｇは、図８に示すように、Ｙ軸に沿う方向について、押圧軸部２２ｄとの間に比較的大きな隙間が生じる幅を有しており、内部における押圧軸部２２ｄのＹ軸に沿う方向への変位を許容する。一方、図８に示すように、案内孔２１ｇは、Ｘ軸に沿う方向については、押圧軸部２２ｄに摺動可能に嵌合する幅を有し、内部における押圧軸部２２ｄのＸ軸に沿う方向への変位を防止する。このように、本実施形態の案内孔２１ｇは、押圧軸部２２ｄの基台部２１に対するＺ軸に沿う方向への変位を許容し、かつ押圧軸部２２ｄの基台部２１に対するＸ軸に沿う方向への変位を防止する。
【００４３】
係止孔２１ｈは、被押圧部材２２の係止爪２２ｇが挿入される。係止孔２１ｈ内には、内部に挿入された鉤状の係止爪２２ｇがいわゆるスナップフィットの形態で係合する段差部２１ｉが設けられている。係止爪２２ｇと段差部２１ｉとが係合した状態では、係止爪２２ｇの基台部２１に対する押圧方向とは反対方向への移動が防止される。また、係止爪２２ｇと段差部２１ｉとが係合した状態であっても、係止爪２２ｇの基台部２１に対する押圧方向への移動は許容される。このように、被押圧部材２２の係止爪２２ｇ及び基台部２１の係止孔２１ｈは、被押圧部材２２の基台部２１からの脱落を防止する係止部を構成する。
【００４４】
なお、本実施形態では、図６に示すように、基台部２１に設けられたネジ孔２１ｅが、係止孔２１ｈ内に連通している。ネジ孔２１ｅは、段差部２１ｉよりも押圧方向において係止孔２１ｈ内に開口している。係止爪２２ｇと段差部２１ｉとが係合した状態において、細い棒状の部材をネジ孔２１ｅから係止孔２１ｈ内に突出させれば、係止爪２２ｇと段差部２１ｉとの係合が解除され、基台部２１から被押圧部材２２を取り外すことが可能となる。
【００４５】
また、基台部２１と被押圧部材２２の板状部２２ａとの間には、スポンジゴム等の弾性変形可能な材料からなる付勢部材３０が圧縮された状態で挟持されている。付勢部材３０は、基台部２１に対して板状部２２ａを、Ｚ軸に沿って押圧方向とは反対方向に付勢する。被押圧部材２２は、外力が加えられていない状態では、付勢部材３０が生じる付勢力によって係止部によって係止される位置に移動する。また、被覆部２１ｆには、基板保持部２７を固定するネジ２８が挿通される、図４で示す座ぐり穴付きの貫通孔２１ｊが設けられている。
【００４６】
本実施形態の押しボタン装置２０は、第１案内部２５及び案内面２６を備える。本実施形態では一例として、第１案内部２５及び案内面２６は、基台部２１に形成されている。なお、第１案内部２５及び案内面２６は、基台部２１に対して位置が固定された基台部２１とは別の部材に設けられる形態であってもよい。
【００４７】
第１案内部２５は、一対の摺動軸部２２ｅと係合し、一対の摺動軸部２２ｅの基台部２１に対するＺ軸に沿う方向への変位を許容し、かつ一対の摺動軸部２２ｅの基台部に対するＹ軸に沿う方向への変位を防止する部位である。
【００４８】
具体的には、第１案内部２５は、図４及び図８に示すように、基台部２１に、Ｚ軸に沿って押圧方向に凹設された溝状又は貫通孔状の部位である。第１案内部２５は、案内孔２１ｇを挟んで、Ｘ軸に沿う方向に離間した２箇所に設けられており、それぞれの内部に摺動軸部２２ｅが挿入される。
【００４９】
第１案内部２５は、Ｙ軸に直交する平面からなる一対の内壁面が、Ｙ軸に沿う方向に所定の距離だけ離間して対向する形状を有する。この第１案内部２５の一対の内壁面に間には、摺動軸部２２ｅが摺動可能な状態で嵌合する。また、第１案内部２５内に摺動軸部２２ｅが挿入されている場合において、摺動軸部２２ｅの摺動面２２ｆとは反対側の面と第１案内部２５の内壁面との間には比較的大きな隙間が設けられている。このような構成の、第１案内部２５は、内部に挿入されている摺動軸部２２ｅの、基台部２１に対するＹ軸に沿う方向への移動を防止する。そして、第１案内部２５は、内部に挿入されている摺動軸部２２ｅの、基台部２１に対するＺ軸に沿う方向への移動を許容する。また、第１案内部２５は、内部に挿入されている摺動軸部２２ｅの、基台部２１に対するＸ軸に沿う方向のうちの案内孔２１ｇから遠ざかる方向への移動を許容する。
【００５０】
案内面２６は、一対の摺動軸部２２ｅに設けられた一対の摺動面２２ｆのそれぞれに対向して摺接する面からなる部位である。本実施形態では一例として、案内面２６は第１案内部２５内に形成されている。具体的には、案内面２６は、第１案内部２５内に形成されたＸ軸に直交する平面からなり、第１案内部２５内に挿入されている摺動軸部２２ｅの摺動面２２ｆと対向する部位である。
【００５１】
すなわち、基台部２１に設けられた一対の案内面２６は、Ｘ軸方向に案内孔２１ｇを挟んで互いに外向きに面する一対の平行な平面からなり、被押圧部材２２に設けられた一対の摺動面２２ｆは、Ｘ軸方向に前記一対の摺動面２２ｆを挟持するように内向きに面する一対の平行な平面からなる。一対の摺動面２２ｆと一対の案内面２６との間には、若干の隙間が設けられる。
【００５２】
以上に説明したように、本実施形態の押しボタン装置２０は、Ｚ軸（第１軸）に沿った押圧方向に所定の力で押圧されることによって作動するスイッチ部材２３と、スイッチ部材２３を支持する基台部２１と、外部から加えられた押圧力をスイッチ部材２３に伝える被押圧部材２２と、を備える。
【００５３】
被押圧部材２２は、Ｚ軸と直交するＸ軸（第２軸）に沿う方向を長手方向とした板状の部材であって内面２２ｂが前記スイッチ部材２３に対向する板状部２２ａと、前記板状部２２ａの内面２２ｂの中央部からＺ軸に沿って突出する押圧軸部２２ｄと、前記板状部２２ａの内面２２ｂにおいてＸ軸に沿う方向に押圧軸部２２ｄを挟んで互いに離間して配設されたＺ軸に沿う柱状の一対の摺動軸部２２ｅと、一対の摺動軸部２２ｅのそれぞれに設けられ、Ｘ軸に沿う方向に所定の距離だけ離間して互いに対向しＸ軸に直交する一対の摺動面２２ｆと、を備える。
【００５４】
また、基台部２１は、一対の摺動軸部２２ｅの基台部２１に対するＺ軸に沿う方向への変位を許容し、かつ一対の摺動軸部２２ｅの基台部２１に対するＹ軸に沿う方向への変位を防止する第１案内部２５と、一対の摺動面２２ｆのそれぞれに対向して摺接する一対の案内面２６と、押圧軸部２２ｄの基台部２１に対するＺ軸に沿う方向への変位を許容し、かつ押圧軸部２２ｄの基台部２１に対するＸ軸に沿う方向への変位を防止する第２案内部である案内孔２１ｇと、を備える。
【００５５】
このように構成された本実施形態の押しボタン装置２０では、被押圧部材２２の基台部２１に対するＹ軸に沿う方向の位置決めが、第１案内部２５によってなされる。また、被押圧部材２２の基台部２１に対するＸ軸に沿う方向の位置決めは、第２案内部である案内孔２１ｇによってなされる。また、被押圧部材２２の基台部２１に対する押圧方向とは反対方向の位置決めが、係止部によってなされる。このように、被押圧部材２２は、基台部２１及び基台部２１に固定されたスイッチ部材２３に対して、所定の位置に保持される。
【００５６】
そして、被押圧部材２２の板状部２２ａの外面２２ｃの中央部に、押圧方向への外力が加えられた場合には、押圧軸部２２ｄが案内孔２１ｇに沿って押圧方向に移動してスイッチ部材２３を押圧する。
【００５７】
一方、例えば図９に誇張して示すように、Ｘ軸に沿う方向を長手方向とした板状部２２ａの、一方の端部（図９では左方の端部）に、押圧方向への外力Ｆが加えられた場合には、板状部２２ａの一方の端部の側のみが押圧方向に沈み込むように、被押圧部材２２がＹ軸に平行な軸周りに回動する。
【００５８】
被押圧部材２２がＹ軸に平行な軸周りに回動することにより、外力Ｆが加えられた箇所に近い摺動軸部２２ｅ１の摺動面２２ｆ１は、案内面２６と接する。一方、外力Ｆが加えられた箇所から遠い摺動軸部２２ｅ２の摺動面２２ｆ２は、案内面から離間する。
【００５９】
この場合、被押圧部材２２は、外力Ｆが加えられた箇所に近い摺動面２２ｆ１と、押圧軸部２２ｄの外力Ｆが加えられた箇所に近い外周面２２ｄ１と、の距離Ｌ１だけ離間した互いに対向する平行な２つの面の間に、基台部２１を嵌合した状態となる。
【００６０】
前述のように、板状部２２ａの中央部に押圧方向の外力を加えた場合には、押圧軸部２２ｄと案内孔２１ｇとの嵌合によって、被押圧部材２２は基台部２１に近づく方向（押圧方向）に相対的に移動する。一方、板状部２２ａの外縁部に押圧方向の外力Ｆを加えた場合には、被押圧部材２２を基台部２１に対する相対的な移動を案内する嵌合部の中心が、外力Ｆが加えられた位置に近づき、かつ当該嵌合部の嵌合長も長くなる。
【００６１】
本実施形態のように、被押圧部材２２を基台部２１に対する相対的な移動を案内する嵌合部の中心が、被押圧部材２２に外力が加えられた位置に近づく方に移動させ、かつ嵌合長を長くすることによって、被押圧部材２２のどの場所に外力が加えられた場合でも滑らかに被押圧部材２２を押圧方向に移動させることができる。このため本実施形態の押しボタン装置２０は、被押圧部材２２の面積が大きくても確実な動作を行うことができる。
【００６２】
なお、本発明は、上述した実施形態に限られるものではなく、特許請求の範囲及び明細書全体から読み取れる発明の要旨或いは思想に反しない範囲で適宜変更可能であり、そのような変更を伴う押しボタン装置もまた本発明の技術的範囲に含まれるものである。
【００６３】
また、本発明に係る押しボタン装置を備える撮像装置は、上述の実施形態で説明したような、レンズが取り外し可能な形態に限らず、レンズと一体の形態であってもよい。また、本発明に係る押しボタン装置を備える撮像装置は、カメラの形態に限らず、双眼鏡、録音機器、携帯通信端末、ゲーム機、デジタルメディアプレーヤー、時計、ナビゲーション装置等に設けられる形態であってもよい。
【符号の説明】
【００６４】
１    撮像装置、
２    本体、
２ａ    凸面部、
２ｂ    一方の側の端部、
２ｃ    他方の側の端部、
２ｄ    メインフレーム、
２ｅ    貫通孔、
３    撮像素子、
４    レンズ装着部、
５    外部装置装着部、
５ａ    部分円周凹部、
５ｂ    係合用爪、
６    電池、
７    カバー
７ａ    貫通孔、
２０    押しボタン装置、
２１    基台部、
２１ｅ    ネジ孔、
２１ｆ    被覆部、
２１ｇ    案内孔（第２案内部）、
２１ｈ    係止孔、
２１ｉ    段差部、
２１ｊ    貫通孔、
２２    被押圧部材、
２２ａ    板状部、
２２ｂ    内面、
２２ｃ    外面、
２２ｄ    押圧軸部、
２２ｅ    摺動軸部、
２２ｆ    摺動面、
２２ｇ    係止爪、
２２ｉ    窪み、
２３    スイッチ部材、
２４    回路基板、
２５    第１案内部、
２６    案内面、
２７    基板保持部、
２８    ネジ、
２９    ネジ、
３０    付勢部材。
【図１】
0006444694.tif 000002
【図２】
0006444694.tif 000003
【図３】
0006444694.tif 000004
【図４】
0006444694.tif 000005
【図５】
0006444694.tif 000006
【図６】
0006444694.tif 000007
【図７】
0006444694.tif 000008
【図８】
0006444694.tif 000009
【図９】
0006444694.tif 000010